(57)【要約】【課題】  共有設定情報が変更された事実を知らないユーザが、希望する内容とは異なる印刷結果を得る不都合を回避させる。【解決手段】  共有設定情報記憶部１３は、複数の情報処理装置に共通に適用される共有設定情報を記憶し、個別設定情報記憶部１４は、複数の情報処理装置の各々毎に個別に適用される個別設定情報を記憶し、情報取得部２３は、共有設定情報記憶部１３から共有設定情報を、個別設定情報記憶部１４から個別設定情報をそれぞれ取得し、情報表示部２１は、取得した共有設定情報、または個別設定情報を表示し、更に共有設定情報及び個別設定情報の設定又は変更を受入れ、設定情報登録部２２は、情報表示部２１が受け入れた共有設定情報及び個別設定情報の設定又は変更を共有プリンタ１０へ送信し、共有設定情報記憶部１３、または個別設定情報記憶部１４に記憶させる。【選択図】        図２
2008204280.tif 000002
【特許請求の範囲】
【請求項１】
ネットワークに接続する複数の情報処理装置と、前記ネットワークを介して前記情報処理装置から受信する情報に基づいて画像形成する画像形成装置とを含む画像形成システムであって、
前記画像形成装置は、
前記複数の情報処理装置に共通に適用される共有設定情報を記憶する共有設定情報記憶部と、
前記複数の情報処理装置の各々毎に個別に適用される個別設定情報を記憶する個別設定情報記憶部とを備え、
前記情報処理装置は、
前記共有設定情報記憶部から前記共有設定情報を、前記個別設定情報記憶部から前記個別設定情報をそれぞれ取得する情報取得部と、
取得した前記共有設定情報または前記個別設定情報を表示する表示部と、
前記共有設定情報または前記個別設定情報の設定又は変更を受入れる情報入力部と、
該情報入力部が受入れた前記共有設定情報及び前記個別設定情報の設定又は変更を前記画像形成装置へ送信し、前記共有設定情報記憶部、または個別設定情報記憶部に記憶させる設定情報登録部とを備えることを特徴とする画像形成システム。
【請求項２】
ネットワークに接続する複数の情報処理装置と、前記ネットワークを介して前記情報処理装置から受信する情報に基づいて画像形成する画像形成装置とを含む画像形成システムであって、
前記画像形成装置は、
前記複数の情報処理装置に共通に適用される共有設定情報を記憶する共有設定情報記憶部を備え、
前記情報処理装置は、
前記複数の情報処理装置の各々毎に個別に適用される個別設定情報を記憶する個別設定情報記憶部と、
前記共有設定情報記憶部から前記共有設定情報を、前記個別設定情報記憶部から前記個別設定情報をそれぞれ取得する情報取得部と、
取得した前記共有設定情報または前記個別設定情報を表示する表示部と、
前記共有設定情報または前記個別設定情報の設定又は変更を受け入れる情報入力部と、
該情報入力部が受け入れた、前記共有設定情報の設定又は変更を前記画像形成装置へ送信して前記共有設定情報記憶部に記憶させ、前記個別設定情報の設定又は変更を前記個別設定情報記憶部へ記憶させる設定情報登録部とを備えることを特徴とする画像形成システム。
【請求項３】
前記表示部は、
前記共有設定情報、及び前記個別設定情報を同一画面上に表示することを特徴とする、請求項１または請求項２に記載の画像形成システム。
【発明の詳細な説明】
【技術分野】
【０００１】
本発明は、ネットワークに接続する複数の情報処理装置と、上記ネットワークを介して上記情報処理装置から受信する情報に基づいて画像形成する画像形成装置とを含む画像形成システムに関する。
【背景技術】
【０００２】
従来、共有されたプリンタの共有設定情報をコンピュータ上のプリンタドライバに表示するものがあった。ユーザは、プリンタが現在設定されている情報を知ることができ、印刷に必要な設定が異なっている場合には、この共有設定情報を変更して印刷を実行していた。
【特許文献１】特開２００２−３２３９４６号公報
【発明の開示】
【発明が解決しようとする課題】
【０００３】
しかしながら、従来の技術では、上記共通設定情報が変更されると、必ずしも全てのユーザに対して変更の内容が明示されなかった。その結果、変更された事実を知らないユーザは、希望する内容とは異なる印刷結果を得ることが起こり得るという解決すべき課題が残されていた。
【課題を解決するための手段】
【０００４】
本発明は、ネットワークに接続する複数の情報処理装置と、上記ネットワークを介して上記情報処理装置から受信する情報に基づいて画像形成する画像形成装置とを含む画像形成システムであって、上記画像形成装置は、上記複数の情報処理装置に共通に適用される共有設定情報を記憶する共有設定情報記憶部と、上記複数の情報処理装置の各々毎に個別に適用される個別設定情報を記憶する個別設定情報記憶部とを備え、上記情報処理装置は、上記共有設定情報記憶部から上記共有設定情報を、上記個別設定情報記憶部から上記個別設定情報をそれぞれ取得する情報取得部と、取得した上記共有設定情報または上記個別設定情報を表示する表示部と、該表示部による表示に基づいて上記共有設定情報及び上記個別設定情報の設定又は変更を受け入れる情報入力部と、該情報入力部が受け入れた上記共有設定情報及び上記個別設定情報の設定又は変更を上記画像形成装置へ送信し、上記共有設定情報記憶部、または個別設定情報記憶部に記憶させる設定情報登録部とを備えることを主要な特徴とする。
【発明の効果】
【０００５】
本発明による画像形成システムでは、画像形成装置は、上記複数の情報処理装置に共通に適用される共有設定情報を記憶する共有設定情報記憶部を備え、ユーザが印刷要求をすると共有設定情報が、該当する情報処理装置へ送信され、設定内容がユーザに明示される。その結果、共有設定情報が変更された事実を知らないユーザが、希望する内容とは異なる印刷結果を得ることが起こり得るという不都合を回避できるという効果を得る。
【発明を実施するための最良の形態】
【０００６】
本発明による画像処理装置は以下のように構成される。
【実施例１】
【０００７】
図１は、実施例１の電子写真プリンタの断面図である。
本発明が適用される実施例１の電子写真プリンタのハードウエア構成とその動作の概要について、その断面図を用いて説明する。プリンタ装置１０００は、複数の給紙トレイ１０１、１０２、１０３と、ＭＰトレイ１１３とを備えている。３つの給紙トレイ１０１、１０２、１０３には、トレイ内の媒体の有無を監視する媒体センサ１０４、１０５、１０６が設けられ、ＭＰトレイ１１３には、媒体有無センサ１１２が設けられている。
【０００８】
例えば、ホッピングローラ１０９により給紙トレイ１０１から排出された媒体は、フィードローラ１１１により、共通の搬送路１３２上に搬送される。搬送路１３２には、フィードセンサ１１５、レジストローラ１１６、ベルトセンサ１１７、現像部１２５、１２６、１２７、１２８、定着ローラ１２９、排出センサ１３０、及び排出ローラ１３１を備える。３つの給紙トレイ１０１、１０２、１０３、及びＭＰトレイ１１３から、搬送路１３２に搬送された媒体は、レジストローラ１１６により、現像部１２５、１２６、１２７、１２８、へ搬送される。レジストローラ１１６の前後に配設されるフィードセンサ１１５、及びベルトセンサ１１７は、それぞれ、搬送されてきた媒体の先頭位置の調節、及び、現像部における動作開始タイミングの制御のために、媒体の通過状況を検知する。
【０００９】
４つの現像部１２５、１２６、１２７、１２８は、搬送されてきた媒体に順次トナー画像を転写し、カラー画像を形成して現像する。即ち、現像部１２５は、シアン（Ｃ）色のトナーで画像を形成し、現像部１２６は、マゼンタ（Ｍ）色のトナーで画像を形成し、現像部１２７は、イエロー（Ｙ）色のトナーで画像を形成し、現像部１２８は、ブラック（Ｋ）色のトナーで画像を形成し、１回の通紙で、カラー画像として現像処理がなされた媒体を定着ローラ１２９へ渡す。定着ローラ１２９が熱を加えてカラー画像を媒体に定着させる。その後、媒体は、排出センサ１３０の監視のもとに排出ローラ１３１により排出口まで搬送される。
【００１０】
以上説明したように、かかるプリンタ装置１０００は、複数の給紙トレイ（図では３個）を備えている。各給紙トレイには、用紙サイズを検出可能なセンサが備えられ、少なくとも（Ｂ５、Ａ４、Ｂ４、Ａ３、リーガル）の用紙を収納、及び検出可能である。用紙サイズの設定では、（自動設定、Ｂ５、Ａ４、Ｂ４、Ａ３、リーガル）の何れかに指定可能である。又、給紙トレイの設定には、給紙トレイ自体を指定する設定の他に、自動選択モードがあり、かかるモードが選ばれていると、用紙サイズの設定で指定された用紙サイズが収納されている給紙トレイが自動的に選択され給紙される。又、図示しない、両面印刷機構を備えている。
【００１１】
又、プリンタ装置１０００は、カラー印刷と、モノクロ印刷を指定可能であり、印刷データの特徴に合わせ、自動的にカラー／モノクロ印刷を選択可能なモードをも備えている。更に、印刷の一定周期毎に、所定のテストパターンの画像を形成し、この画像パターンの濃度を検出することで、自動的に色味等を補正する自動濃度補正機能を備えると共に、印刷時のエラーに応じて、エラーレポートを出力する機能を備えている。
【００１２】
図２は、実施例１の印刷システムの機能ブロック図である。
図に示すように、実施例１の印刷システムは、共有プリンタ１０（その一例が上記プリンタ装置１０００）と、クライアントコンピュータ（１）２０と、クライアントコンピュータ（２）３０とを含む。共有プリンタ１０は、制御部１１と、通信部１２と、共有設定情報記憶部１３と、個別設定情報記憶部１４と、印刷部１５とを備える。
【００１３】
制御部１１は、通信部１２、共有設定情報記憶部１３、個別設定情報記憶部１４、印刷部１５、及び装置全体の制御をつかさどるコンピュータ制御手段である。特にクライアントコンピュータ（１）２０または、クライアントコンピュータ（２）３０からの設定・変更要求、または設定読出し要求に基づいて共有設定情報記憶部１３、または個別設定情報記憶部１４中の所定のアドレスにアクセスする部分でもある。通信部１２はクライアントコンピュータとの通信を行うインタフェース部分である。共有設定情報記憶部１３は、複数のクライアントコンピュータで共有可能な共有設定情報を記憶するメモリである。その内容について説明する。
【００１４】
図３は、共有設定情報の内容説明図である。
図は、共有設定情報記憶部１３に保存された共有設定項目の例を示している。用紙サイズ、給紙トレイ、両面印刷、マルチページ、部数、印刷方向、カラー設定、自動濃度補正などが上記図１の内容に対応して、格納されている。
【００１５】
図２に戻って、個別設定情報記憶部１４は、他のユーザと共有したくないユーザが個別に設定可能な個別設定を記憶するメモリである。このメモリには、ユーザＡの領域１４−１、ユーザＢの領域１４−２、及びユーザＣの領域１４−３、のように各ユーザ毎に個別設定情報の記憶領域が設けられている。その内容について説明する。
図４は、個別設定情報の内容説明図である。
図は、個別設定情報記憶部１４の１領域に保存された設定項目の例を示している。ユーザ名、用紙サイズ、使用する給紙トレイ、カスタム用紙サイズ（用紙名、用紙長さ、用紙幅）などの設定値、及び表示する／しない、の情報が、各項目毎、ユーザ毎に上記図１の内容に対応して、格納されている。
【００１６】
図２に戻って、印刷部１５はクライアントコンピュータから送信された印刷データを受け入れて印刷する部分であり、図１に、その概要が示されている。以上説明した共有プリンタ１０は、ネットワーク接続されたプリンタのハードウエア本体でも良いし、サーバコンピュータ経由で共有設定された共有プリンタでも良い。
【００１７】
クライアントコンピュータ（１）２０は、情報表示部２１と、設定情報登録部２２と、情報取得部２３と、通信部２４と、記憶部２５と、設定・変更入力部２６とを備える。情報表示部２１は、共有プリンタの設定内容をクライアントコンピュータ上に表示する部分である。また、ユーザによる設定・変更の内容をクライアントコンピュータ上に表示すると共にその内容を設定情報登録部３２へ送出する部分である。この情報表示部２１は、プリンタドライバのダイアログのような入力画面でもよいし、プリンタ設定を変更するためのユーティリティソフトウエアなどの入力画面でもよい。
【００１８】
設定情報登録部２２は、情報表示部２１から受け入れた設定・変更の内容に伴い、共有プリンタの設定を変更するためのコマンドを生成する部分である。ここでユーザによって入力された設定・変更の情報が共有設定項目であるか、個別設定項目であるかが判断され、それぞれに応じて所定のコマンドが生成される。情報取得部２３は通信部２４を介して共有プリンタ１０から情報表示部２１で表示するために必要な情報を取得する部分である。通信部２４は共有プリンタ１０との通信を行うインタフェース部分である。記憶部２５はクライアントコンピュータにログオンしているユーザＩＤなどの情報を記憶するメモリである。その内容について説明する。
【００１９】
図５は、記憶部の内容説明図である。
図（ａ）は、クライアントコンピュータ（１）の記憶部２５の内容を、図（ｂ）は、クライアントコンピュータ（２）の記憶部３５の内容を、それぞれ表している。図に示すように、各記憶部は、クライアントコンピュータにログオンしているユーザのユーザＩＤなどの情報を記憶している。図２に戻って、設定・変更入力部２６は、ユーザが、設定値、プリンタ設定をクライアントコンピュータ上の入力画面に表示する／しない、およびプリンタ設定が個別指定かどうかについて指定を行う部分である。
【００２０】
次に実施例１の動作について説明する。最初に、クライアントコンピュータ（１）２０の設定・変更入力部２６（図２）を介するユーザによる設定・変更の入力動作について説明する。
【００２１】
図６は、実施例１の動作フローチャート（その１）である。
このフローチャートは、ユーザが共有設定、または個別設定の設定・変更を行う動作手順を表している。このフローチャートでステップＳ１−１からステップＳ１−８まで、及びＳ１−１３は、クライアントコンピュータ（１）の内部における情報の流れを表し、ステップＳ１−９からステップＳ１−１２までは、共有プリンタ１０の内部における情報の流れを表している。
【００２２】
図７は、クライアントコンピュータ（１）のドライバ表示、個別設定選択画面である。
この図は、上記図６の説明の中で用いられる、ユーザが個別設定情報の設定・変更を行う選択画面の設定例を示している。図に於いて、「表示する」にチェックされている項目が、設定項目の設定画面に表示され、「個別指定」にチェックされている項目が個別設定情報として扱われ、「個別指定」にチェックされていない項目が共有設定情報として扱われることになる。尚、個別指定のチェックボックスにチェックがある場合には、印刷時に個別設定情報に基づいて印刷が行われ、チェックボックスにチェックが無い場合には、共有設定情報に基づいて印刷が行なわれる。
これらの情報は個別設定情報記憶部１４（図２）に記憶されている。そして、個別指定のチェックボックスにチェックがある場合には個別設定情報がドライバ設定表示画面に表示され、チェックボックスにチェックがない場合には共有設定情報がドライバ設定表示画面に表示される。
【００２３】
図８は、クライアントコンピュータ（１）のドライバ設定表示画面（その１）である。
この図は、上記図６の説明の中で用いられ、ここに表示されている項目は、図７で「表示する」にチェックされている項目のみが表示されている。図７では、表示するのチェックと個別指定のチェックが予め設定されているものとして説明しているが、ユーザの使用形態により設定が自由に変えられるので、多くの機能を必要としないユーザには表示を一部隠すことで煩雑な操作を省くこともできる。
【００２４】
図９は、クライアントコンピュータ（１）のドライバ設定表示画面（その２）である。
この図のように「全ての設定を表示する」にチェックした場合には、上記図７におけるメニュー表示の設定に関わらず使用可能な全ての項目が表示される。
【００２５】
［動作説明の前提条件］
クライアントコンピュータ（１）２０（図２）にログインしているユーザにより、設定・変更入力部２６を用いてメニュー表示、及び共有／個別設定が図７に示すように予め実行されているものとする。
【００２６】
ステップＳ１−１
上記ユーザが印刷要求すると、情報取得部２３（図２）が通信部２４（図２）を介して、共有プリンタ１０（図２）から、図８に示す内容を取得する。この内容が情報表示部２１（図２）によって、図示しないディスプレイに表示される。
【００２７】
ステップＳ１−２
ユーザによる設定・変更要求が無ければフローを終了し、変更要求があればステップＳ１−３へ進む。
【００２８】
ステップＳ１−３
上記ユーザが、設定変更を設定・変更入力部２６（図２）を用い、ディスプレイに表示されている図８の画面を介して設定・変更を入力する。この設定・変更には、共有設定情報であるか個別設定情報であるかを識別する情報が付与されている。
【００２９】
ステップＳ１−４
設定情報登録部２２（図２）は、入力された設定・変更が共有設定情報であるか、個別設定情報であるかを判定し、設定・変更の内容が共有設定情報の場合にはステップＳ１−７へ進み、固有設定情報の場合にはステップＳ１−５へ進む。
【００３０】
ステップＳ１−５
設定情報登録部２２（図２）は、記憶部２５（図２）から現在ログインされているログインＩＤを読み出しする。
【００３１】
ステップＳ１−６
設定情報登録部２２（図２）は、入力された個別設定情報にログインＩＤ情報を付加する。
【００３２】
ステップＳ１−７
設定情報登録部２２（図２）は、共有設定情報、あるいはＩＤ情報を付加した個別設定情報から、プリンタに設定値を保存させるためのコマンドを生成して通信部２４（図２）へ送出する。ここでコマンドの一例を示す。
図１０は、コマンドの一例説明図である。
図に於いて（ａ）は、共有設定コマンドの例であり、（ｂ）は、個別設定コマンドの例である。
【００３３】
ステップＳ１−８
設定情報登録部２２（図２）は、生成したコマンドを通信部２４（図２）を介して共有プリンタ１０（図２）の通信部１２（図２）へ送出する。
【００３４】
ステップＳ１−９
共有プリンタ１０（図２）の通信部１２（図２）は、クライアントコンピュータ（１）２０（図２）から送信されたコマンドを受信し、制御部１１（図２）にコマンドを送出する。
【００３５】
ステップＳ１−１０
制御部１１（図２）は、受信したコマンドが共有設定情報であるか、個別設定情報であるかを判定し、共有設定情報の場合にはステップＳ１−１１へ進み、個別設定情報の場合にはステップＳ１−１２へ進む。
【００３６】
ステップＳ１−１１
制御部１１（図２）は、共有設定情報を共有設定情報記憶部１３（図２）に保存して次へ進む。
【００３７】
ステップＳ１−１２
制御部１１（図２）は、個別設定情報を個別設定情報記憶部１４（図２）に保存して次へ進む。個別設定情報はログインＩＤ単位で情報を区別できる形式で保存されているものとする。保存された個別設定情報の例を図４に示す。
【００３８】
ステップＳ１−１３
後に続く設定・変更要求が無ければフローを終了し、後に続く設定・変更要求があればステップＳ１−３へ戻り、後に続く設定・変更要求が無くなった後フローを終了する。尚、以上説明したフローによって保存された共有設定情報は上記図３に該当する。
【００３９】
次に、クライアントコンピュータ（１）２０の情報表示部２１（図２）の表示動作について説明する。
図１１は、実施例１の動作フローチャート（その２）である。
ステップＳ１−２１
情報取得部２３（図２）は、通信部２４を介して共有プリンタ１０（図２）から共有設定情報を取得すると共に、この情報を記憶部２５（図２）に格納する。
【００４０】
ステップＳ１−２２
情報取得部２３（図２）は、記憶部２５（図２）に格納されているクライアントコンピュータ（１）２０（図２）にログインしているログインＩＤを読み出す。
【００４１】
ステップＳ１−２３
情報取得部（図２）は、通信部２４（図２）を介して共有プリンタ１０（図２）に対して、読み出したログインＩＤに対応する個別設定情報を取得すると共に、この情報を記憶部２５（図２）に格納する。尚、上記設定値がユーザによって予め設定されていない設定項目についてはデフォルト値が読み出される。
【００４２】
ステップＳ１−２４
情報表示部２１（図２）は、設定表示のための初期化を実行する。そして表示用のポインタは、最初の表示項目である用紙サイズ（図８）に設定される。
【００４３】
ステップＳ１−２５
ドライバ設定画面において、全ての設定画面表示のチェックボックスがＯＮの場合は、ステップＳ１−２７へ進み、それ以外の場合にはステップＳ１−２６へ進む。
【００４４】
ステップＳ１−２６
設定項目が設定表示されている場合にはステップＳ１−２７へ進み、設定表示されていない場合にはステップＳ１−３０へ進む。
【００４５】
ステップＳ１−２７
情報取得部（図２）は、設定項目が個別設定情報である、と判断するとステップＳ１−２８へ進み、設定項目が共通設定情報であると判断するとステップＳ１−２９へ進む。
【００４６】
ステップＳ１−２８
情報表示部２１（図２）は、個別設定情報を情報表示部３１（図２）が有する図示しないディスプレイに表示する。一例として図８の用紙サイズ（Ｂ４）、給紙トレイ（トレイ２）などが表示され、次へ進む。
【００４７】
ステップＳ１−２９
情報表示部２１（図２）は、共有設定情報を情報表示部３１（図２）が有する図示しないディスプレイに表示する。一例として図８の両面印刷（する）、マルチページ（１／１）、部数（１）、及び印刷方向（縦）と表示され、次へ進む。
【００４８】
ステップＳ１−３０
表示する設定項目が更に存在するかを判断し、項目がある場合には、次の項目へ進み、ステップＳ１−２５へ戻る。全ての設定項目の表示が終了した場合にはフローを終了する。
【００４９】
以上説明したように、本実施例により、共有設定情報は全てのユーザに適用され、個別設定情報は個別に特定のユーザのみに適用される。またユーザの印刷要求に基づいて設定内容がユーザに明示される。その結果、共有設定情報が変更された事実を知らないユーザが、希望する印刷結果を得ることが出来なくなるという不都合を回避できるという効果を得る。また、事前に画面に表示しない設定をすることで不要な設定の表示を省くことができ、見やすい設定画面とすることができるという効果を得る。更に、設定は全てプリントサーバ上にあるため、クライアントコンピュータを変えても、ログインＩＤが同じであれば同じ設定を使用することが可能になるという効果を得る。
【００５０】
尚、上記説明では、共有設定情報記憶部１３（図２）と、個別設定情報記憶部１４とを個別に構成しているが、本発明は、この例に限定されるものではない。以下にその変形例について説明する。
図１２は、設定情報記憶部の変形例説明図である。
図において、最左列から順番に、項目１５−１、共有設定値１５−２、ユーザ設定１５−３、ユーザ設定１５−４、ユーザ設定１５−５、を表し、更に各行は項目１５−１に記載されている各項目に対応している。また、表示設定、個別設定、共有設定が各ユーザ毎にまとめて格納されている。かかる状態でユーザからクライアントコンピュータ（１）２０または、クライアントコンピュータ（２）３０を介して設定・変更要求、または設定読出し要求があると、制御部１１（図２）  が所定のメモリ領域にアクセスすることになる。
【実施例２】
【００５１】
図１３は、実施例２の印刷システムの機能ブロック図である。
図に示すように、実施例２の印刷システムは、共有プリンタ４０と、クライアントコンピュータ（１）５０と、クライアントコンピュータ（２）６０とを含む。共有プリンタ４０は、制御部４１と、通信部１２と、共有設定情報記憶部１３と、印刷部１５とを備える。又、クライアントコンピュータ（１）５０は、情報表示部２１と、設定情報登録部５２と、情報取得部５３と、通信部２４と、記憶部２５と、設定・変更入力部２６と、個別設定情報記憶部５４とを備える。即ち、実施例１の印刷システムとの相違部分は、実施例１の構成に対して共有プリンタ１０（図２）の個別設定情報記憶部１４（図２）が削除され、クライアントコンピュータ（１）２０（図２）に個別設定情報記憶部５４が追加される。
【００５２】
以下に実施例１との相違部分のみについて詳細に説明する。実施例１と同様の部分については、実施例１と同一の符号を付して説明を省略する。
制御部４１は、通信部１２、共有設定情報記憶部１３、印刷部１５、及び装置全体の制御をつかさどるコンピュータ制御手段である。実施例１では、制御部１１（図２）が個別設定情報記憶部１４（図２）をも制御していたが本実施例では、個別設定情報記憶部１４（図２）が削除されている。
【００５３】
設定情報登録部５２は、情報表示部２１に入力された設定内容に伴い、共有プリンタの設定を変更するためのコマンドを生成する部分である。ここでユーザによって入力された情報が共有設定情報であるか、個別設定情報であるかが判断され、それぞれに応じて所定のコマンドが生成される。更に、本実施例では、個別設定情報である、と判断した情報を個別設定情報記憶部５４に格納する部分でもある。
【００５４】
情報取得部５３は通信部２４を介して共有プリンタ４０から情報表示部２１で表示するために必要な共有設定情報を取得する部分である。更に、本実施例では、個別設定情報記憶部５４から情報表示部２１で表示するために必要な個別設定情報を取得する部分である。個別設定情報記憶部５４は、他のユーザと共有したくないユーザが個別に設定可能な個別設定を記憶するメモリである。このメモリには、各ユーザ毎に個別設定情報の記憶領域が設けられている。その内容について実施例１（図４）と同様なので説明を省略する。
【００５５】
次に実施例２の動作について説明する。最初に、クライアントコンピュータ（１）５０の設定・変更入力部２６（図１３）を介するユーザによる設定・変更の入力動作について説明する。
【００５６】
図１４は、実施例２の動作フローチャート（その１）である。
このフローチャートは、ユーザが共有設定、または個別設定の設定・変更を行う動作手順を表している。
［動作説明の前提条件］
クライアントコンピュータ（１）５０（図１３）にログインしているユーザにより、設定・変更入力部２６を用いてメニュー表示、及び共有／個別設定が図７に示すように予め実行されているものとする。
【００５７】
ステップＳ２−１
上記ユーザが印刷要求すると、情報取得部２３（図１３）が通信部２４（図１３）を介して、共有プリンタ４０（図１３）から、図８に示す内容を取得する。この内容が情報表示部２１（図１３）によって、図示しないディスプレイに表示される。
【００５８】
ステップＳ２−２
ユーザによる設定・変更要求が無ければフローを終了し、変更要求があればステップＳ２−３へ進む。
【００５９】
ステップＳ２−３
上記ユーザが、設定変更を設定・変更入力部２６（図１３）を用い、ディスプレイに表示されている図８の画面を介して設定・変更を入力する。この設定・変更には、共有設定情報であるか個別設定情報であるかを識別する情報が付与されている。
【００６０】
ステップＳ２−４
設定情報登録部５２（図１３）は、入力された設定・変更が共有設定情報であるか、個別設定情報であるかを判定し、設定・変更の内容が共有設定情報の場合にはステップＳ２−７へ進み、個別設定情報の場合にはステップＳ２−５へ進む。
【００６１】
ステップＳ２−５
設定情報登録部５２（図１３）は、記憶部２５（図１３）から現在ログインされているユーザのログインＩＤを読み出しする。
【００６２】
ステップＳ２−６
設定情報登録部５２（図１３）は、入力された個別設定情報にログインＩＤ情報を付加して個別設定情報記憶部５４（図１３）に格納してステップＳ２−１１へ進む。
【００６３】
ステップＳ２−７
設定情報登録部５２（図１３）は、共有設定情報から、プリンタに設定値を保存させるための共有設定コマンドを生成し、通信部２４（図１３）へ送出する。
【００６４】
ステップＳ２−８
設定情報登録部５２（図１３）は、生成した共有設定コマンドを通信部２４（図１３）を介して共有プリンタ４０（図１３）の通信部１２（図１３）へ送出する。
【００６５】
ステップＳ２−９
共有プリンタ４０（図１３）の通信部１２（図１３）は、クライアントコンピュータ（１）５０（図１３）から送信された共有設定コマンドを受信し制御部４１（図１３）に送出する。
【００６６】
ステップＳ２−１０
制御部４１（図１３）は、受信した共有設定コマンドを共有設定情報記憶部１３（図１３）に保存してステップＳ２−１１へ進む。
【００６７】
ステップＳ２−１１
後に続く設定・変更要求が無ければフローを終了し、後に続く設定・変更要求があればステップＳ２−３へ戻り、後に続く設定・変更要求が無くなった後フローを終了する。尚、以上説明したフローによって保存された共有設定情報は上記図３に該当し、保存された個別設定情報は上記図４に該当する。
【００６８】
次に、クライアントコンピュータ（１）５０の情報表示部２１（図１３）の表示動作について説明する。
図１５は、実施例２の動作フローチャート（その２）である。
ステップＳ２−２１
情報取得部５３（図１３）は、通信部２４を介して共有プリンタ４０（図１３）から共有設定情報を取得すると共に、この情報を記憶部２５（図１３）に格納する。
【００６９】
ステップＳ２−２２
情報取得部２３（図１３）は、記憶部２５（図１３）に格納されているクライアントコンピュータ（１）２０（図１３）にログインしているログインＩＤを読み出す。
【００７０】
ステップＳ２−２３
情報取得部５３（図１３）は、読み出したログインＩＤに対応する個別設定情報を個別設定情報記憶部５４（図１３）から取得すると共に、この情報を記憶部２５（図１３）に格納する。尚、上記設定値がユーザによって予め設定されていない設定項目についてはデフォルト値が読み出される。
【００７１】
ステップＳ２−２４
情報表示部２１（図１３）は、設定表示のための初期化を実行する。そして表示用のポインタは、最初の表示項目である用紙サイズに設定される。
【００７２】
ステップＳ２−２５
ドライバ設定画面において、全ての設定画面表示のチェックボックスがＯＮの場合は、ステップＳ２−２７へ進み、それ以外の場合にはステップＳ２−２６へ進む。
【００７３】
ステップＳ２−２６
設定項目が設定表示されている場合にはステップＳ２−２７へ進み、設定表示されていない場合にはステップＳ２−３０へ進む。
【００７４】
ステップＳ２−２７
情報取得部２３（図１３）は、設定項目が個別設定情報であると判断するとステップＳ２−２８へ進み、設定項目が共通設定情報であると判断するとステップＳ２−２９へ進む。
【００７５】
ステップＳ２−２８
情報表示部２１（図１３）は、個別設定情報を情報表示部２１（図１３）が有する図示しないディスプレイに表示する。一例として図８の用紙サイズ（Ｂ４）、及び給紙トレイ（トレイ２）と表示され、次へ進む。
【００７６】
ステップＳ２−２９
情報表示部２１（図１２）は、共有設定情報を情報表示部２１（図１２）が有する図示しないディスプレイに表示する。一例として図８の両面印刷（する）、マルチページ（１／１）、部数（１）、印刷方向（縦）などが表示され、次へ進む。
【００７７】
ステップＳ２−３０
表示する設定項目が更に存在するかを判断し、項目がある場合には、ポインタを次の項目へ進めてステップＳ２−２５へ戻り、全ての設定項目の表示が終了した場合にはフローを終了する。
【００７８】
以上説明したように、本実施例によれば、実施例１に加えて個別情報をクライアントコンピュータ上に保存することでプリンタの記憶領域を節約できるという効果を得る。また、クライアントコンピュータ上に保存された個別設定情報はファイルとして取り出すことができ、所定の場所にコピーすれば異なる環境に移行しても設定内容を容易に複写することができるという効果を得る。
【産業上の利用可能性】
【００７９】
実施例では、本発明をプリンタに適用した場合に限定して説明したが、本発明は、この例に限定されるものではない。即ち、Ｆａｘ、ＭＦＰや複写装置にも利用できる。又実施例では、コンピュータにログインしたユーザ毎に個別設定情報を設定、及び、呼び出ししたが、コンピュータ毎に管理するようにしても良い。
【図面の簡単な説明】
【００８０】
【図１】実施例１の電子写真プリンタの断面図である。
【図２】実施例１の印刷システムの機能ブロック図である。
【図３】共有設定情報の内容説明図である。
【図４】個別設定情報の内容説明図である。
【図５】記憶部の内容説明図である。
【図６】実施例１の動作フローチャート（その１）である。
【図７】クライアントコンピュータ（１）のドライバ表示、個別設定選択画面である。
【図８】クライアントコンピュータ（１）２０のドライバ設定表示画面（その１）である。
【図９】クライアントコンピュータ（１）２０のドライバ設定表示画面（その２）である。
【図１０】コマンドの一例説明図である。
【図１１】実施例１の動作フローチャート（その２）である。
【図１２】設定情報記憶部の変形例説明図である。
【図１３】実施例２の印刷システムの機能ブロック図である。
【図１４】実施例２の動作フローチャート（その１）である。
【図１５】実施例２の動作フローチャート（その２）である。
【符号の説明】
【００８１】
１０    共有プリンタ
１１    制御部
１２    通信部
１３    共有設定情報記憶部
１４    個別設定情報記憶部
１４−１    クライアントコンピュータ（１）の領域
１４−２    クライアントコンピュータ（２）の領域
２０    クライアントコンピュータ（１）
２１    情報表示部
２２    設定情報登録部
２３    情報取得部
２４    通信部
２５    記憶部
２６    設定・変更入力部
３０    クライアントコンピュータ（２）
３１    情報表示部
３２    設定情報登録部
３３    情報取得部
３４    通信部
３５    記憶部
３６    設定・変更入力部
【図１】
2008204280.tif 000003
【図２】
2008204280.tif 000004
【図３】
2008204280.tif 000005
【図４】
2008204280.tif 000006
【図５】
2008204280.tif 000007
【図６】
2008204280.tif 000008
【図７】
2008204280.tif 000009
【図８】
2008204280.tif 000010
【図９】
2008204280.tif 000011
【図１０】
2008204280.tif 000012
【図１１】
2008204280.tif 000013
【図１２】
2008204280.tif 000014
【図１３】
2008204280.tif 000015
【図１４】
2008204280.tif 000016
【図１５】
2008204280.tif 000017